(57)【特許請求の範囲】
【請求項１】
りん青銅等の薄金属板により断面形状を略コの字形に形成した装着具本体に、該装着具本体の内側のＵ字管挿入部に開口部が連通するように形成された装着筒を一体的に連設形成し、該装着筒にサーミスター端子を挿入して固定したものにおいて、該サーミスター端子は薄金属チューブ内に挿入して樹脂で固定し、該薄金属チューブには半径方向に突出する突起と受熱平坦部を形成し、前記装着筒には前記突起が係合する切欠溝を形成し、前記突起を前記切欠溝に係合させると前記受熱平坦部は前記開口部に露出して臨むようにしたエアコン等のＵ字管用サーミスター取付装置。
【請求項２】
断面形状は略コの字形の装着具本体２であり、一方を挟持下縁４に他方を挟持上縁５に形成し、前記挟持上縁５の先端部には前記装着具本体２の内側のＵ字管挿入部１２に連通する開口部１３が形成される装着筒１１を一体的に連設形成し、該装着筒１１に挿入されるサーミスター端子１０は薄金属チューブ１６内に挿入して樹脂で固定し、該薄金属チューブ１６の先端１７側には半径方向に突出する突起１８を形成し、前記薄金属チューブ１６の前記突起１８の反対側には受熱平坦部２０を形成し、前記装着筒１１の端縁には切欠溝１９を形成し、前記突起１８を前記切欠溝１９に係合させると前記受熱平坦部２０は前記開口部１３に臨んで露出するようにしたエアコン等のＵ字管用サーミスター取付装置。
【請求項３】
請求項１において、前記挟持下縁には、抜止突起を有する円弧溝を形成したエアコン等のＵ字管用サーミスター取付装置。
【発明の詳細な説明】
【０００１】
【産業上の利用分野】
本発明は、エアコン等のＵ字管用サーミスター取付装置に関するものである。
【０００２】
【従来技術】
本願に対する同一出願人の出願に係る特願平８−１８１６１９号明細書と図面には、断面形状は略コの字形の装着具本体であり、一方を挟持下縁に他方を挟持上縁に形成し、前記挟持上縁の先端部には前記装着具本体の内側のＵ字管挿入部に連通する開口部が形成される装着筒を一体的に連設形成し、該装着筒に挿入されるサーミスター端子は円筒の薄金属チューブ内に挿入して樹脂で固定した構造について記載されている。
また、上記先願明細書には、挟持下縁に抜止突起を設けること、挟持下縁に円弧の係合溝を設けることについても記載されている。
【０００３】
【発明が解決しようとする課題】
しかし、前記先願構成では、直線状の円筒の薄金属チューブと円筒のＵ字管の接触となるから、接触部は点接触になるので、接触面積が小さく、熱伝達が円滑に行なわれないという欠点があった。本発明は、直線状の円筒の薄金属チューブの接触部を平坦面にして、線接触となるようにし、効率良く熱伝達が行なえるようにしたものである。
【０００４】
【発明の目的】
エアコン等のＵ字管に、サーミスター端子を線接触の状態に取付ける。
【０００５】
【課題を解決するための手段】
よって、本発明は、りん青銅等の薄金属板により断面形状を略コの字形に形成した装着具本体に、該装着具本体の内側のＵ字管挿入部に開口部が連通するように形成された装着筒を一体的に連設形成し、該装着筒にサーミスター端子を挿入して固定したものにおいて、該サーミスター端子は薄金属チューブ内に挿入して樹脂で固定し、該薄金属チューブには半径方向に突出する突起と受熱平坦部を形成し、前記装着筒には前記突起が係合する切欠溝を形成し、前記突起を前記切欠溝に係合させると前記受熱平坦部は前記開口部に露出して臨むようにしたエアコン等のＵ字管用サーミスター取付装置としたものである。
また、本発明は、断面形状は略コの字形の装着具本体２であり、一方を挟持下縁４に他方を挟持上縁５に形成し、前記挟持上縁５の先端部には前記装着具本体２の内側のＵ字管挿入部１２に連通する開口部１３が形成される装着筒１１を一体的に連設形成し、該装着筒１１に挿入されるサーミスター端子１０は薄金属チューブ１６内に挿入して樹脂で固定し、該薄金属チューブ１６の先端１７側には半径方向に突出する突起１８を形成し、前記薄金属チューブ１６の前記突起１８の反対側には受熱平坦部２０を形成し、前記装着筒１１の端縁には切欠溝１９を形成し、前記突起１８を前記切欠溝１９に係合させると前記受熱平坦部２０は前記開口部１３に臨んで露出するようにしたエアコン等のＵ字管用サーミスター取付装置としたものである。
また、本発明は、前記挟持下縁には、抜止突起を有する円弧溝を形成したエアコン等のＵ字管用サーミスター取付装置としたものである。
【０００６】
【実施例】
本発明の一実施例を図面により説明すると、１はエアコン等の冷却用のチューブ、２はりん青銅等の薄金板で形成した装着具本体で、断面形状は、前記チューブ１の端部のＵ字管３に弾力的に拡がって挿着できるよう略コの字形に形成し、一方を挟持下縁４に他方を挟持上縁５に形成したとき、前記挟持下縁４の先端縁は外開き状の屈曲縁６に形成し、前記挟持下縁４には、前記Ｕ字管３が係合する円弧溝７を形成し、該円弧溝７の内周縁８には複数個の抜止突起９を形成し、前記挟持上縁５の先端部は彎曲させてサーミスター端子１０の装着筒１１を一体的に形成する。該装着筒１１は図２のように内側に湾曲させて、Ｕ字管挿入部１２に連通する開口部１３が形成されるようにする。
【０００７】
図４において、１４は装着筒１１内に挿入したサーミスター端子１０を固定するためのカシメ部であり、装着筒１１に切目１５を入れて形成する。
【０００８】
前記サーミスター端子１０は薄金属チューブ１６内にサーミスターを挿入して樹脂で固めたものである。薄金属チューブ１６は先端１７側に半径方向に曲げて形成した突起１８を有し、該突起１８を前記装着筒１１に形成した切欠溝１９に挿入する。該突起１８を切欠溝１９に挿入すると、金属チューブ１６の回動と、金属チューブ１６の開きの両方が防止できる。
【０００９】
なお、図中、２０は装着筒１１の前記突起１８の反対側に形成される受熱平坦部であり、装着したとき前記Ｕ字管３に密着する。２１は挟持下縁４と挟持上縁５の連結部である。
【００１０】
【作用】
次に作用を述べる。
本願は上記の構成であるから、薄金属チューブ１６内にサーミスター１０を挿入して樹脂で固めるが、このとき薄金属チューブ１６の先端には一体的に突起１８を形成し、突起１８の反対側には受熱平坦部２０を形成する。なお、板金加工で形成するときは、突起１８部分を含めて板取りし、その後筒にする。
【００１１】
サーミスター１０を固定した薄金属チューブ１６は、その突起１８が装着筒１１の切欠溝１９に合うように挿入して突起１８を切欠溝１９に係合させると、突起１８の反対側の受熱平坦部２０は開口部１３に露出してＵ字管挿入部１２に臨むようになるから、Ｕ字管３に装着したとき、受熱平坦部２０はＵ字管３に密着するようになり、Ｕ字管３の温度を確実に検出する。なお、突起１８が装着筒１１の切欠溝１９に係合することにより、薄金属チューブ１６の開きを防止するとともに、薄金属チューブ１６の動きを防止する。
【００１２】
【発明の効果】
本発明は、りん青銅等の薄金属板により断面形状を略コの字形に形成した装着具本体に、該装着具本体の内側のＵ字管挿入部に開口部が連通するように形成された装着筒を一体的に連設形成し、該装着筒にサーミスター端子を挿入して固定したものにおいて、該サーミスター端子は薄金属チューブ内に挿入して樹脂で固定し、該薄金属チューブには半径方向に突出する突起と受熱平坦部を形成し、前記装着筒には前記突起が係合する切欠溝を形成し、前記突起を前記切欠溝に係合させると前記受熱平坦部は前記開口部に露出して臨むようにしたエアコン等のＵ字管用サーミスター取付装置としたものであるから、金属チューブとＵ字管の接触が、先願の点接触に比し、線接触になるので、熱伝達良好で確実に検出できる効果がある。
また、本発明は、断面形状は略コの字形の装着具本体２であり、一方を挟持下縁４に他方を挟持上縁５に形成し、前記挟持上縁５の先端部には前記装着具本体２の内側のＵ字管挿入部１２に連通する開口部１３が形成される装着筒１１を一体的に連設形成し、該装着筒１１に挿入されるサーミスター端子１０は薄金属チューブ１６内に挿入して樹脂で固定し、該薄金属チューブ１６の先端１７側には半径方向に突出する突起１８を形成し、前記薄金属チューブ１６の前記突起１８の反対側には受熱平坦部２０を形成し、前記装着筒１１の端縁には切欠溝１９を形成し、前記突起１８を前記切欠溝１９に係合させると前記受熱平坦部２０は前記開口部１３に臨んで露出するようにしたエアコン等のＵ字管用サーミスター取付装置としたものであるから、具体的構成を要旨にするので実施化容易であり、且つ薄金属チューブ１６とＵ字管３の接触が、先願の点接触に比し、線接触になるので、熱伝達良好で確実に温度の検出できる効果がある。
また、本発明は、前記挟持下縁４には、抜止突起９を有する円弧溝７を形成したエアコン等のＵ字管用サーミスター取付装置としたものであるから、装着具本体２に対するＵ字管３の装着が確実になる。
【図面の簡単な説明】
【図１】本願斜視図。
【図２】装着具本体の側面図。
【図３】装着具本体にＵ字管を取付た断面図。
【図４】装着具本体の図２の左側面図。
【図５】装着具本体の図２の底面図。
【図６】装着具本体の図２の平面図。
【図７】薄金属チューブの側面図。
【図８】薄金属チューブの図７の底面図。
【図９】薄金属チューブの図７の右側面図。
【符号の説明】
１…チューブ、２…装着具本体、３…Ｕ字管、４…挟持下縁、５…挟持上縁、６…屈曲縁、７…円弧溝、８…内周縁、９…抜止突起（返し）、１０…サーミスター端子、１１…装着筒、１２…Ｕ字管挿入部、１３…開口部、１４…カシメ部、１５…切目、１６…薄金属チューブ、１７…先端、１８…突起、１９…切欠溝、２０…受熱平坦部、２１…連結部。
【図１】
0003839532.tif 000002
【図２】
0003839532.tif 000003
【図３】
0003839532.tif 000004
【図４】
0003839532.tif 000005
【図５】
0003839532.tif 000006
【図６】
0003839532.tif 000007
【図７】
0003839532.tif 000008
【図８】
0003839532.tif 000009
【図９】
0003839532.tif 000010